(57)【要約】【課題】内枠に軸を取り付ける場合に比べて施工を楽に行なえ、天井点検口のコストダウンを図るようにする。【解決手段】天井板の開口部に嵌められて建物側に固定される外枠１と、この外枠１の内部空間を開閉する内枠３とを備え、前記外枠１の１組の対向する立ち上がり壁４と内枠３の１組の対向する立ち上がり壁５とを、外枠１の１組の対向する立ち上がり壁４の内面に取り付けた回転受け部材６と内枠３の１組の対向する立ち上がり壁５の外面に突出するように内枠３のコーナー接続金具７に一体に設けた回転部材８により接続した。【選択図】    図９
2005171614.tif 000002
【特許請求の範囲】
【請求項１】
天井板の開口部に嵌められて建物側に固定される外枠と、この外枠の内部空間を開閉する内枠とを備え、前記外枠の１組の対向する立ち上がり壁と内枠の１組の対向する立ち上がり壁とを、外枠の１組の対向する立ち上がり壁の内面に取り付けた回転受け部材と内枠の１組の対向する立ち上がり壁の外面に突出するように内枠のコーナー接続金具に一体に設けた回転部材により接続してなることを特徴とする天井点検口。
【請求項２】
回転受け部材には内枠の１組の対向する立ち上がり壁の外面に対向する面側における一側部の上端近傍に横向きの通路が形成され、この通路に繋がって下端が通路よりも下側に位置するように回転部材を受ける凹部が形成され、内枠のコーナー接続金具に一体に設けた回転部材は内枠が開いた状態において水平状態となって高さの低いＵ字状に形成されており、この回転部材が水平状態でのみ前記通路を通過可能に構成されていることを特徴とする請求項１記載の天井点検口。
【発明の詳細な説明】
【技術分野】
【０００１】
本発明は、天井点検口に関するものである。
【背景技術】
【０００２】
従来の天井点検口としては、例えば特許文献１に開示されているものが知られている。この特許文献１に開示されているものは、内枠の相対向する二側方の枠片の下端側の外表面に設けられている回転軸と、この回転軸に対向する外枠の枠片に設けられた上記回転軸を着脱自在に枢支する軸受とからなる天井点検口の軸受構造において、上記軸受は、内枠に設けた回転軸を導入する拡開状の開口端部と、該開口端部に連続して、その内壁面を円弧状面とする案内溝と、該案内溝に連続して設けられたその底壁部に形成される上記回転軸を枢支する枢支部とよりなる軸嵌入溝を有し、上記開口端部と案内溝および案内溝と枢支部との間にはその内壁部分を膨出して回転軸の軸径よりもわずかに小ならしめる狭窄部を形成してなるものである。
【特許文献１】特公平２−５５５８５号公報
【発明の開示】
【発明が解決しようとする課題】
【０００３】
上記従来の特許文献１に開示されている天井点検口の構成では、内枠の相対向する二側方の枠片の下端側の外表面に回転軸を取り付ける構成となっており、内枠に軸を取り付けるのに手間がかかり、コストアップに繋がるという問題があった。
【０００４】
本発明の目的は、このような課題を解決するものであり、内枠に軸を取り付ける場合に比べて施工を楽に行なえ、コストダウンを図るようにすることにある。
【課題を解決するための手段】
【０００５】
本発明の請求項１に記載の天井点検口は、天井板の開口部に嵌められて建物側に固定される外枠と、この外枠の内部空間を開閉する内枠とを備え、前記外枠の１組の対向する立ち上がり壁と内枠の１組の対向する立ち上がり壁とを、外枠の１組の対向する立ち上がり壁の内面に取り付けた回転受け部材と内枠の１組の対向する立ち上がり壁の外面に突出するように内枠のコーナー接続金具に一体に設けた回転部材により接続してなることを特徴とする。
【０００６】
請求項２に記載の天井点検口は、回転受け部材には内枠の１組の対向する立ち上がり壁の外面に対向する面側における一側部の上端近傍に横向きの通路が形成され、この通路に繋がって下端が通路よりも下側に位置するように回転部材を受ける凹部が形成され、内枠のコーナー接続金具に一体に設けた回転部材は内枠が開いた状態において水平状態となって高さの低いＵ字状に形成されており、この回転部材が水平状態でのみ前記通路を通過可能に構成されていることを特徴とする。
【発明の効果】
【０００７】
以上のように、本発明の天井点検口は、内枠には別途軸を用意して取り付ける必要がなく、コーナー接続金具に一体に設けた回転部材を用いて外枠側の回転受け部材にセットすることにより、外枠に対し内枠は回動自在となり、内枠に別途用意した軸を取り付ける場合に比べて施工を楽に行なえ、コストダウンを図ることができる。
【発明を実施するための最良の形態】
【０００８】
以下、本発明の一実施の形態を、図１〜図１０に基づいて説明する。
図において、１は天井板２の開口部２ａに嵌められて建物側に固定されるアルミニウム製のほぼ逆Ｔ字状の外枠で、この外枠１の内部空間を開閉するようにアルミニウム製のほぼ逆Ｔ字状の内枠３が設けられている。そして、この内枠３を外枠１に対して回動可能に支持するために外枠１の１組の対向する立ち上がり壁４，４と内枠３の１組の対向する立ち上がり壁５，５とを、外枠１の１組の対向する立ち上がり壁４，４の内面に取り付けた合成樹脂製の回転受け部材６と内枠３の１組の対向する立ち上がり壁５，５の外面に突出するように内枠３のコーナー接続金具７に一体に設けた回転部材８により接続している。
【０００９】
この外枠１に対する内枠３の回動支持部について詳細に説明すると、外枠１の１組の対向する立ち上がり壁４，４の内面に取り付けられる前記回転受け部材６は内枠３の１組の対向する立ち上がり壁５，５の外面に対向する面側における一側部の上端近傍に横向きの通路９が形成され、この通路９に繋がって下端が通路９よりも下側に位置するように前記回転部材８を受ける凹部１０が形成されている。なお、通路９の一端は回転受け部材６の一側部側に開口し、通路９の他端が凹部１０に繋がっている。このように通路９および凹部１０が形成された面とは反対側の回転受け部材６の面には回転受け部材６を外枠１の立ち上がり壁４に取り付けるための爪片１１が複数個突出して設けられており、この爪片１１を外枠１の立ち上がり壁４に形成した孔部１２に差し込みスライド係合させることにより回転受け部材６は外枠１の立ち上がり壁４に取り付けられることになる。次に、前記内枠３の１組の対向する立ち上がり壁５，５の外面に突出するように内枠３のコーナー接続金具７に一体に設けた回転部材８は内枠３が開いた状態において水平状態となって高さの低いＵ字状に形成されており、内枠３が閉じた状態において横向きとなるように構成されている。この回転部材８は内枠３を開いた状態の角度で前記回転受け部材６の通路９を通って凹部１０内に挿入されて凹部１０の底部で受けられ、かかる状態で内枠３を開閉方向に回動させることができる。外枠１に対し内枠３が閉じたときは回転部材８は横向きとなって上端に位置する一端８ａが凹部１０の内端の段部１０ａの側面に当接し、外枠１に対し内枠３が鉛直状態の開き角度よりもさらに大きく開いたときは回転部材８は水平状態よりもさらに傾き、他端８ｂが凹部１０の内端の段部１０ａの下面に当接し、内枠３のさらなる回動を止めるように構成されている。以上のように内枠３側の回転部材８を外枠１側の回転受け部材６の凹部１０内に位置させることにより内枠３は外枠１に対し回動自在となるのであるが、回転受け部材６ならびに回転部材８の取り付け位置は外枠１の１組の対向する立ち上がり壁４，４ならびに内枠３の１組の対向する立ち上がり壁５，５の一端近傍部に設定される。
【００１０】
なお図中、１３は前記内枠３の内側下端の板部３ａ上に載り内枠３に固定される蓋材で、前記天井板２と同じ材料で作られている。ところで、図面では示されていないが、外枠１に対し内枠３を閉じた状態で保持するためのロック手段が設けられており、このロック手段を解除することによって外枠１に対し内枠３は開閉自在となる。
【００１１】
上記構成において、内枠３を外枠１に回動可能に支持するときは、天井板２の開口部２ａに嵌められて建物側に固定された外枠１に対し、内枠３を開いた状態の角度で内枠３のコーナー接続金具７に一体に設けられて内枠３の両側に位置する前記回転部材８を外枠１側に取り付けられた前記回転受け部材６の通路９より凹部１０内に挿入し、凹部１０の底部で受ける。これにより、内枠３には別途軸部を用意する必要がなく、コーナー接続金具７に一体に設けた回転部材８を用いて回転受け部材６にセットすることにより、作業効率を向上させ、コストダウンを図ることができる。
【図面の簡単な説明】
【００１２】
【図１】本発明の一実施の形態における天井点検口の分解斜視図である。
【図２】同天井点検口の外枠側に取り付けられる回転受け部材の一方の面側から見た斜視図である。
【図３】同天井点検口の外枠側に取り付けられる回転受け部材の他方の面側から見た斜視図である。
【図４】同天井点検口の内枠側に取り付けられるコーナー接続金具の斜視図である。
【図５】同外枠に対する回転受け部材の取り付け部を一方の面側から見た斜視図である。
【図６】同外枠に対する回転受け部材の取り付け部を他方の面側から見た斜視図である。
【図７】同内枠に対するコーナー接続金具の取り付け部の斜視図である。
【図８】天井板に取り付けられた天井点検口の断面図である。
【図９】（Ａ）〜（Ｃ）は外枠側の回転受け部材に内枠側の回転部材を挿入する状態を示す拡大説明図である。
【図１０】（Ａ）〜（Ｃ）は内枠の開閉動作時における回転受け部材と回転部材との位置関係を示す拡大説明図である。
【符号の説明】
【００１３】
１      外枠
２      天井板
２ａ    開口部
３      内枠
３ａ    板部
４      立ち上がり壁
５      立ち上がり壁
６      回転受け部材
７      コーナー接続金具
８      回転部材
８ａ    一端
８ｂ    他端
９      通路
１０      凹部
１０ａ    段部
１１      爪片
１２      孔部
１３      蓋材
【図１】
2005171614.tif 000003
【図２】
2005171614.tif 000004
【図３】
2005171614.tif 000005
【図４】
2005171614.tif 000006
【図５】
2005171614.tif 000007
【図６】
2005171614.tif 000008
【図７】
2005171614.tif 000009
【図８】
2005171614.tif 000010
【図９】
2005171614.tif 000011
【図１０】
2005171614.tif 000012